(57)【要約】【課題】利用者情報と端末識別情報の関連付けを、簡単かつ確実に行なうことができるインフォメーションシステムを提供する。【解決手段】予め利用者の診察券から読み出した患者情報をリモコン３に転送記憶させておく。この後、患者が課金装置１３の利用開始時にリモコン３を操作するだけで、リモコン３からの患者情報とその課金装置１３に固有の課金装置識別子が、新たな認証情報として課金装置１３からセンター装置に自動的に送出される。これを受けてセンター装置は、利用者情報と課金装置識別子の関連付けが迅速に行うことができ、センター装置から特定の患者に対し、テレビ１２を通じて告知情報を正確に通知可能となる。【選択図】図２
2018025974.tif 000002
【特許請求の範囲】
【請求項１】
診察券から読み出した利用者を特定する利用者情報を、携帯可能な遠隔操作体に記憶させる利用者情報転送機と、
前記利用者情報を一元管理するセンター装置に対して各々が通信可能に設置され、制御対象として少なくとも報知装置を有する複数の端末装置と、を備え、
前記端末装置は、前記遠隔操作体の操作により、当該遠隔操作体に記憶する前記利用者情報を取り込んで、その利用者情報と当該端末装置に固有の端末識別情報とを、前記センター装置に新たな認証情報として送出する第１送出部と、
前記新たな認証情報を受けて、前記センター装置が前記利用者情報と前記端末識別情報との関連付けを行なった後に、前記センター装置から特定の前記端末装置に告知情報が送出されると、当該端末装置が制御する前記報知装置に前記告知情報を出力させる報知制御部と、を有することを特徴とするインフォメーションシステム。
【請求項２】
前記端末装置は、利用者の利用金額に相当する電子マネーを記憶する記憶部と、
前記記憶部に電子マネーが更新記憶される毎に、当該電子マネーと前記端末識別情報とを、前記センター装置に利用者課金情報として送出する第２送出部と、
をさらに備えたことを特徴とする請求項１記載のインフォメーションシステム。
【請求項３】
前記センター装置および複数の前記端末装置の間で、ダイナミックルーティングによる通信を可能にする通信手段をさらに備えたことを特徴とする請求項１または２記載のインフォメーションシステム。
【発明の詳細な説明】
【技術分野】
【０００１】
本発明は、センター装置から端末装置を通して、利用者毎に告知情報を報知する病院などのインフォメーションシステムに関する。
【背景技術】
【０００２】
例えば病院では、ナースステーションに設置したセンター装置（看護支援システムが導入済みの場合は、その装備がセンター装置となる）から、病床テレビを備えたタイマーを通じて、各種の案内を決められた時間にテレビ画面に映し出すインフォメーションシステムが知られている。こうしたインフォメーションシステムでは、テレビを通して各患者に必要事項を告知する目的で、どの病床にどの患者がいるのかを特定する必要があり、従来は病床毎に設置されたタイマー固有の番号と、そのタイマーを利用する患者固有の識別子とを関連付けて、システムに登録する患者確認方式が採用されていた。
【０００３】
ところが実際には、入院中に患者が別な病床に移動することが頻繁に行われており、タイマーの番号と患者の識別子との関連付けをその都度速やかに変更して登録しなければ、各患者に告知情報を誤りなく伝達できない。そのため病院側では、入院患者の病床移動時に上記関連付けを迅速に変更できるような登録管理が必要とされていた。
【０００４】
そこで、こうした登録管理を不要にして、業務を簡素化するために、例えば特許文献１には、入院患者が予め保有する会員カードを、各病床に設置した端末装置のカード挿入口に挿入すると、会員カードに記憶される固有の会員情報と、各端末装置に割り当てられた固有の端末識別情報が、センター装置に新たな認証情報として自動的に送出され、これを受けたセンター装置が、新たな認証情報に含まれる会員情報と端末識別情報との関連付けを、その都度更新して記憶するシステムが提案されている。
【先行技術文献】
【特許文献】
【０００５】
【特許文献１】特開２００８−２７６６２２号公報
【発明の概要】
【発明が解決しようとする課題】
【０００６】
特許文献１では、端末装置の利用開始時に予め用意しておいた会員カードを、端末装置のカード挿入口にいちいち挿入しなければならず、会員カードの挿入を忘れると、会員情報と端末識別情報の関連付けが正しく行われなくなる。さらに、各端末装置にカード挿入口を含む会員カードの読取装置が必要となり、特に病床数の多い病院では、コストの上昇および読取装置のメンテナンスなどが無視できなくなる。
【０００７】
また、患者が各種サービスを利用したときの対価として、現金の代わりにプリペイド式の電子マネーで決済する場合、法律上の規制の関係で、病院側では未利用残高を年２回集計して、その５０％を超える金額を供託する必要があるが、従来のシステムでは、実際に個々の患者が電子マネーをどの程度残しているのかを把握できず、現段階の未利用残高を正確に集計できない不満があった。
【０００８】
そこで、本発明は上記問題点に鑑み、利用者情報と端末識別情報の関連付けを、簡単かつ確実に行なうことができるインフォメーションシステムを提供することを第１の目的とする。
【０００９】
また、現段階の未払い残高を速やかに、かつ確実に集計できるインフォメーションシステムを提供することを第２の目的とする。
【課題を解決するための手段】
【００１０】
本発明のインフォメーションシステムは、患者毎の診察券に書き込まれた患者情報が、センター装置にも一元管理されていることに着目し、診察券を利用して取り込んだ個々の患者情報と、センター装置と通信可能な端末装置とを、遠隔操作体を介して関連付けすることを特徴とする。
【００１１】
すなわち本発明は、第１の目的を達成するために、診察券から読み出した利用者を特定する利用者情報を、携帯可能な遠隔操作体に記憶させる利用者情報転送機と、前記利用者情報を一元管理するセンター装置に対して各々が通信可能に設置され、制御対象として少なくとも報知装置を有する複数の端末装置と、を備え、前記端末装置は、前記遠隔操作体の操作により、当該遠隔操作体に記憶する前記利用者情報を取り込んで、その利用者情報と当該端末装置に固有の端末識別情報とを、前記センター装置に新たな認証情報として送出する第１送出部と、前記新たな認証情報を受けて、前記センター装置が前記利用者情報と前記端末識別情報との関連付けを行なった後に、前記センター装置から特定の前記端末装置に告知情報が送出されると、当該端末装置が制御する前記報知装置に前記告知情報を出力させる報知制御部と、を有している。
【００１２】
本発明のインフォメーションシステムは、第２の目的を達成するために、前記端末装置は、利用者の利用金額に相当する電子マネーを記憶する記憶部と、前記記憶部に電子マネーが更新記憶される毎に、当該電子マネーと前記端末識別情報とを、前記センター装置に利用者課金情報として送出する第２送出部と、をさらに備えている。
【００１３】
上記構成では、前記センター装置および複数の前記端末装置の間で、ダイナミックルーティングによる無線通信を可能にする通信手段をさらに備えるのが好ましい。
【発明の効果】
【００１４】
請求項１の発明によれば、予め利用者情報転送機を利用して、利用者の診察券から読み出した利用者情報を遠隔操作体に転送記憶させておけば、後は利用者が端末装置の利用開始時に遠隔操作体を操作するだけで、遠隔操作体からの利用者情報と端末装置に固有の端末識別情報が、新たな認証情報として端末装置の第１送出部からセンター装置に自動的に送出され、センター装置側で利用者情報と端末識別情報の関連付けが迅速に行われる。そのため、利用者が病床などを移動する場合でも、自身の利用者情報が記憶された遠隔操作体を、移動先の端末装置に対して操作すれば、端末装置にカードを挿入する手間を省いて、利用者情報と端末識別情報の関連付けを簡単かつ確実に行なうことができ、センター装置から特定の患者に対して告知情報を正確に通知することが可能になる。
【００１５】
請求項２の発明によれば、利用者が使用する電子マネーの未払い残高が、端末装置の記憶部に記憶更新される毎に、その電子マネーと端末装置を特定する端末識別情報がセンター装置に送出されるため、センター装置側では新たな認証情報に含まれる利用者情報と端末識別情報との関連付けから、全ての利用者について、現段階で個人毎にどの程度の未払い残高があるのかを速やかに、かつ確実に集計できる。
【００１６】
請求項３の発明によれば、センター装置および複数の端末装置の相互間で、通信に微弱な電波を使用した場合でも、通信手段がダイナミックルーティング方式により最適な経路を自動的に選択して、全体に通信が可能となる。また、端末装置の電源を遮断した場合でも、残っている通信可能な端末装置間で自動的に別な経路を作成することができ、より確実な通信が可能になる。
【図面の簡単な説明】
【００１７】
【図１】本発明の一実施形態におけるリモコン電子マネー方式床頭台のインフォメーションシステムについて、貸出機とリモコンの外観図である。
【図２】同上、床頭台とリモコンの外観図である。
【図３】同上、リモコン入金／精算機とリモコンの外観図である。
【図４】同上、各床頭台の課金装置およびセンター装置の間での通信のやり取りを示す説明図である。
【図５】同上、リモコンの正面図である。
【図６】同上、リモコンの電気的構成を示すブロック図である。
【図７】同上、課金装置の電気的構成を示すブロック図である。
【図８】同上、リモコン貸出機の電気的構成を示すブロック図である。
【図９】同上、リモコン入金／精算機の電気的構成を示すブロック図である。
【図１０】同上、入金時における動作手順を示す説明図である。
【図１１】同上、出金時における動作手順を示す説明図である。
【発明を実施するための形態】
【００１８】
以下、本発明におけるリモコン電子マネー方式床頭台のインフォメーションシステム（以下、単にインフォメーションシステムという）の好ましい実施形態について、添付図面を参照しながら説明する。なおここでは、特に病院に設置されたインフォメーションシステムについて詳しく説明する。
【００１９】
図１〜図３は、病院向けインフォメーションシステム１の主な構成要素を示したものである。図１において、２は病室の外部に単独で設置されるリモコン貸出機であり、これはインフォメーションシステム１の利用者である患者が、最初の利用開始時にリモコン３を借りる際に利用する機器である。リモコン貸出機２の正面には、カード状の診察券５を着脱自在に挿入できる診察券挿入口６や、患者に貸出すリモコン３を排出するリモコン貸出口７や、リモコン３の排出時に貸出レシート（図示せず）を排出するレシート出口８などが各々配設される。
【００２０】
リモコン３は詳細な構成を後程説明するが、遠隔操作体として専用のＩＲ送受信機機能を有する。また、診察券５は周知のように、患者が病院を利用する際に携帯するもので、記憶媒体となる磁気ストライプ９を備えている。磁気ストライプ９には、病院側で患者を個々に特定するための患者情報が予め記憶保持される。利用者情報となる患者情報は、例えば患者の氏名や、診察券番号となる固有のＩＤ番号や、生年月日や、性別などを含む。なお、記憶媒体として磁気ストライプ９の代わりにＩＣチップなどを用いてもよい。
【００２１】
リモコン貸出機２の内部には、初期化された複数台のリモコン３と、貸出レシートとなるロール紙とを各々収納する収納部が設けられる。これにより本実施形態では、前記診察券挿入口６に診察券５を挿入すると、磁気ストライプ９から読み取られた患者情報が、初期化された複数台のリモコン３の中から一台のリモコン３に自動的に入力記憶され、その一台のリモコン３がリモコン貸出口７から排出されると共に、リモコン３を貸し出したことを示す貸出レシートが、レシート出口８から排出される構成となっている。
【００２２】
図２は、病室内部の各病床に設置される床頭台１１と、そこで使用する患者情報を入力記憶したリモコン３を示している。床頭台１１には、表示器となるテレビ１２の上部に課金装置（病床タイマー）１３を一体的に装着した状態で、テレビ１２と、課金装置１３と、冷蔵庫１４が収容保持される。ここでのテレビ１２や冷蔵庫１４は、課金装置１３の制御対象として、当該課金装置１３によりその動作が制御される。
【００２３】
床頭台１１は、リモコン３を収容可能なリモコン収容部１６と、リモコン収容部１６の前面開口を開閉する出し入れ可能な引き出し１７とを備え、引き出し１７には錠前機構１８や、リモコン収容部１６に臨むアクリルなどの透明窓板１９が配設される。これにより、リモコン３を収容したリモコン収容部１６の前部開口を引き出し１７で閉じた状態で、図示しない鍵を用いて錠前機構１８を施錠すると、引き出し１７がロックされてリモコン３がリモコン収容部１６から取り出せなくなる。また、リモコン収容部１６にはリモコン充電部（図示せず）が装備され、リモコン収容部１６にリモコン３を正しく挿入収容した際に、リモコン３が充電できるように構成される。
【００２４】
インフォメーションシステム１の報知装置となるテレビ１２は、リモコン３からの赤外線信号を受信するＩＲ（赤外線）受信部を備え、テレビ１２と課金装置１３は無線または有線の通信手段（図示せず）で直接接続される。また本実施形態のテレビ１２は、テレビ１２の動作状態を検出するテレビ動作検出部２１と、課金装置１３からの制御信号に応じて、リモコン３からの赤外線信号の受入れを許可または禁止するテレビ動作制御部２２を、それぞれ内蔵する。なお、テレビ１２自体にテレビ動作検出部２１が組み込まれていない場合、図示しない電源コンセントとテレビ１２の電源プラグとの間に、テレビ１２に流れ込む電流値を検出する負荷電流検出手段を、テレビ１２に外付けのテレビ動作検出部２１として設けてもよい。その詳細は、特許第３７６０４６６号公報に開示されている。
【００２５】
冷蔵庫１４は周知のように、庫内に収容した物品を低温で保管するもので、課金装置１３からの制御信号を受けて、その動作が制御される。なお課金装置１３は、テレビ１２や冷蔵庫１４以外の様々な負荷を制御対象として制御することが可能である。
【００２６】
課金装置１３は、リモコン３やテレビ１２との双方向通信を可能にするＩＲ送受信部２４を備え、他に表示部として、冷蔵庫１４の使用可能な期間を日数で表示する日数表示器２５や、テレビ１２の視聴可能な期間を電子マネーの残金額として表示する残金表示器２６などを備えている。本実施形態では、リモコン３と課金装置１３との間で、赤外線信号による各種データの送受信が行われる構成となっており、リモコン３はテレビ１２のみならず、課金装置１３との間でも赤外線通信を可能とする専用リモコンとなっている。
【００２７】
図３は、病室外部に設置されるリモコン入金／精算機３１と、そこで入金や精算が行われるリモコン３を示している。リモコン入金／精算機３１は、患者がリモコン３を用いて現金を電子マネーに交換する際に利用し、また患者の退院時などに、リモコン３にチャージされた電子マネーを精算して現金に交換する際に利用する現金と電子マネーの交換機である。リモコン入金／精算機３１の正面には、リモコン３を着脱自在に挿入できるリモコン挿入口３２や、入金時に押動操作される入金ボタン３３や、精算時に押動操作される精算ボタン３４や、入金あるいは精算の決定時に押動操作される決定ボタン３５や、現金の投入口となる紙幣入口３６や、残金額を硬貨として払出出力する硬貨払出口３７や、入金や精算時にレシートを排出するレシート出口３８が配設される。また表示部として、リモコン３に記憶された電子マネーに相当する残金額を表示するリモコン金額表示器３９や、紙幣入口３６に投入された紙幣の総額を表示する入金金額表示器４０や、精算時に払出金額を表示する払出金額表示器４１が配設される。
【００２８】
図４は、病院内において、ｎ（ｎは１から始まる自然数）台の床頭台１１−１〜１１−ｎに各々設置した課金装置１３−１〜１３−ｎが、ナースステーションなどに設置したセンター装置４５と、無線で双方向通信を行なう場合の通信経路を示している。センター装置４５は、各患者の患者情報を一元管理するために、病院側の管理担当者が使用する機器である。センター装置４５は、汎用のパーソナルコンピュータを使用することができ、これは周知のように、案内用管理サーバーとしても使用され、制御処理部を内蔵する装置本体４６や、マウスやキーボードなどの操作部４７や、液晶モニターなどの表示部４８で構成される。なお本実施形態では、装置本体４６を案内用管理サーバーとしても使用しているが、別個に案内用管理サーバーを設けてもよい。
【００２９】
インフォメーションシステム１は、上述したリモコン貸出機２と、リモコン３と、テレビ１２と、課金装置１３と、リモコン入金／精算機３１と、センター装置４５とにより構成され、図４に示すように、センター装置４５と各課金装置１３−１〜１３−ｎとの間で、双方向通信を可能にする通信手段４９Ａが配設される。但し、病院に看護支援システムが既に導入されている場合は、その装備をセンター装置４５として、インフォメーションシステム１に通信手段４９Ａで接続してもよい。
【００３０】
また変形例として、リモコン貸出機２とセンター装置４５との間を、有線や無線の通信手段４９Ｂで接続し、リモコン貸出機２とリモコン入金／精算機３１との間を有線や無線の通信手段４９Ｂで接続するのが好ましい。センター装置４５の装置本体４６には、各患者に対する診療の経過を記入する電子情報として、患者情報と関連付けられた電子カルテを記憶蓄積する電子カルテ記憶部（図示せず）が設けられる。
【００３１】
前記通信手段４９Ａとして、課金装置１３−１〜１３−ｎおよびセンター装置４５との間の通信のネットワークは、有線のＬＡＮ回線を利用する他に、無線ＬＡＮの一種であるＷｉ−Ｆｉネットワークが有る場合はそれを利用するのが好ましい。また、Ｗｉ−Ｆｉネットワークの設備がない場合は、厚生労働省で問題がないと認めている２．４ＧＨｚの微弱電波を使用して無線通信を行なう。何れにせよ、こうした通信は微弱電波で、例えば国際公開第２００４／０４７３８２号で開示されるようなダイナミックルーティング方式で行なっており、これは一台のセンター装置４５と、複数の端末装置からなる課金装置１３−１〜１３−ｎのそれぞれに、ダイナミックルーティングを可能にするルータ機能を備えることで実現する。そのため、ここでの通信手段４９Ａは、相互に通信可能な各課金装置１３−１〜１３−ｎの間で自動的に最適な通信の流れの道筋（経路）を作り、その道筋にある課金装置１３で、或る床頭台１１の電源が抜かれて課金装置１３の電源が遮断された状態でも、別ルートを作成し通信を行なう構成となっている。
【００３２】
図５は、図１に示すリモコン３単体の正面図である。本実施形態におけるリモコン３は、主にテレビ１２を遠隔操作するためのテレビ操作体として、電源キー５１、地上デジタル放送チャンネルの選局切替キー５２、ＳＤ切替キー５３、衛星デジタル放送チャンネルの選局切替キー５４、音量調整キー５５、外部入力切替キー５６、字幕キー５７、画面表示キー５８、音声切替キー５９、カーソルキー６０、決定キー６１、番組表キー６２、戻るキー６３をそれぞれ備え、主に課金装置１３を遠隔操作するための課金装置操作体として、退院キー６４、返金キー６５、送金キー６６、冷蔵庫予約キー６７、冷蔵庫予約戻しキー６８をそれぞれ備えている。この中で、選局切替キー５２，５４や、ＳＤ切替キー５３は、何れも表面に「△」なる記号を形成した上キーと、「▽」なる記号を形成した下キーとを上下に配置して構成され、音量調整キー５５は、表面に「＋」なる記号を形成した＋キーと、「−」なる記号を形成した−キーとを上下に配置して構成される。その他にリモコン３は、リモコン３にチャージされた電子マネーを、リモコン残金として表示する残金表示器６９や、赤外線通信のための受光素子や発光素子を含むＩＲ送受信部７０などを備えている。なお、図５に示すリモコン３の各部の配置や形状は、適宜変更が可能である。
【００３３】
図６は、リモコン３の電気的構成を示したものである。リモコン３は、例えばマイクロコンピュータのＣＰＵにより構成されるリモコン制御部７５を備え、このリモコン制御部７５に、操作部７７と、表示部７８と、計時部７９と、ＩＲ送受信部７０と、外部機器接続部８０と、電子マネー記憶部８１と、履歴情報記憶部８２と、識別子記憶部８３と、患者情報記憶部８４がそれぞれ接続される。操作部７７は、図５に示すリモコン３の各種キー５１〜６８に相当するもので、表示部７８は、図２に示す残金表示器６９に相当するものである。外部機器接続部８０は、リモコン貸出機２やリモコン入金／精算機３１との間で、各種データをやり取りするためのものである。計時部７９は、時刻をカウントした時刻データをリモコン制御部７５に出力するもので、この時刻データは、例えばリモコン３により電子マネーの入出金処理を行なった日付時刻を決定するのに用いられる。
【００３４】
リモコン記憶部を構成する電子マネー記憶部８１と、履歴情報記憶部８２と、識別子記憶部８３と、患者情報記憶部８４は、電子マネーと、履歴情報と、識別子と、患者情報をそれぞれ記憶するものである。電子マネーは、インフォメーションシステム１において現金と同等の価値を有する数値データで、ここでは便宜上、現金と同じ金額単位（円）であるとして説明する。履歴情報は、テレビ１２や冷蔵庫１４を含む課金対象の全ての機器の使用履歴をデータ化した機器履歴情報の他に、そのリモコン３自体の使用履歴をデータ化したリモコン履歴情報を含んだデータである。機器履歴情報には、各機器の項目別に利用した金額や日時が含まれており、リモコン履歴情報には、リモコン３で入出金処理を行なった時の金額や日付時刻が含まれている。識別子は、複数の課金装置１３やリモコン３を個々に識別するためのデータで、リモコン３の識別子記憶部８３には、そのリモコン３に固有の識別子であるリモコン識別子と、ＩＲ送受信部７０を通して通信が確立された課金装置１３の識別子である課金装置識別子が、それぞれ記憶保持される。患者情報は、前述のように患者の氏名や、診察券番号となる固有のＩＤ番号や、生年月日や、性別などを含み、リモコン貸出機２を通して入力されたものがそのまま記憶される。
【００３５】
リモコン記憶部にはその他に、コンピュータによるリモコン制御部７５を、電子マネー制御処理部８５と、履歴情報制御処理部８６と、識別子制御処理部８７と、患者情報制御処理部８８の各手段として機能させるためのプログラムが記憶保持される。
【００３６】
電子マネー制御処理部８５は、課金装置１３やリモコン入金／精算機３１との間で電子マネーを受け渡す機能や、リモコン３内部で電子マネーを演算処理する機能を有する。また電子マネー制御処理部８５は、電子マネー記憶部８１に記憶する電子マネーから換算した金額を、残金表示器６９に表示させる表示制御部としての機能も備えている。
【００３７】
履歴情報制御処理部８６は、課金装置１３やリモコン入金／精算機３１との間で機器履歴情報を受け渡す機能や、計時部７９からの時刻データと、前述した電子マネーの受け渡しに基づいて、リモコン３自体のリモコン履歴情報を生成し、これを履歴情報記憶部８２に記憶させる機能を有する。
【００３８】
識別子制御処理部８７は、課金装置１３との間でリモコン識別子を受け渡す機能や、ＩＲ送受信部７０を通して受信した課金装置１３からの課金装置識別子と、識別子記憶部８３に記憶した課金装置識別子との比較により、その課金装置１３との間でデータのやり取りを行なうか否かを判別する機能を有する。
【００３９】
患者情報制御処理部８８は、リモコン貸出機２により診察券５から読み出した患者情報を、外部機器接続部８０から取り込んで患者情報記憶部８４に記憶させる機能と、リモコン３の操作部７７の中で、例えば電源キー５１や送金キー６６が押動操作されたときに、患者情報記憶部８４に記憶する患者情報を、ＩＲ送受信部７０を通して課金装置１３に送出する機能を有する。
【００４０】
図７は、課金装置１３の電気的構成を示したものである。課金装置１３は、例えばマイクロコンピュータのＣＰＵにより構成される課金装置制御部９１を備え、この課金装置制御部９１に、表示部９２と、計時部９３と、ＩＲ送受信部２４と、課金対象機器接続部９５と、電子マネー記憶部９６と、履歴情報記憶部９７と、識別子記憶部９８と、患者情報記憶部９９と、無線送受信部１００がそれぞれ接続される。
【００４１】
表示部９２は、前述の日数表示器２５と残金表示器２６に相当するものである。課金対象機器接続部９５は、テレビ１２や冷蔵庫１４との接続を可能にするもので、ここではテレビ動作検出部２１からの動作検出信号を受け取り、またテレビ１２や冷蔵庫１４の動作を制御する制御信号を送り出すのに設けられる。計時部９３は、時刻をカウントした時刻データを課金装置制御部９１に出力するもので、その時刻データは、例えばテレビ１２や冷蔵庫１４を利用した日時を決定するのに用いられる。前述の通信手段４９Ａを構成する無線送受信部１００は、センター装置４５や他の課金装置１３との間で双方向通信を行なうのに設けられる。
【００４２】
課金装置記憶部を構成する電子マネー記憶部９６と、履歴情報記憶部９７と、識別子記憶部９８と、患者情報記憶部９９は、リモコン３と同様に、電子マネーと、履歴情報と、識別子と、患者情報とをそれぞれ記憶するものである。但し履歴情報記憶部９７には、機器履歴情報だけが記憶保持され、リモコン履歴情報は記憶されない。また識別子記憶部９８には、その課金装置１３に固有の課金装置識別子と、ＩＲ送受信部２４を通して通信が確立されたリモコン３に固有のリモコン識別子が、それぞれ記憶保持される。
【００４３】
課金装置記憶部にはその他に、コンピュータによる課金装置制御部９１を、機器制御処理部１０１と、電子マネー制御処理部１０２と、履歴情報制御処理部１０３と、識別子制御処理部１０４と、患者情報制御処理部１０５の各手段として機能させるためのプログラムが記憶保持される。
【００４４】
機器制御処理部１０１は、電子マネー記憶部９６に記憶する電子マネーの値に基づいて、課金装置１３に接続するテレビ１２や冷蔵庫１４の動作を制御するものである。機器制御処理部１０１から動作許可信号が送出されると、テレビ１２や冷蔵庫１４は動作可能な状態となる一方、機器制御処理部１０１から動作禁止信号が送出されると、テレビ１２や冷蔵庫１４は動作不可能な状態となる。また機器制御処理部１０１は、センター装置４５から決められた時間に送信され、無線送受信部１００で受信した精算要求や消灯時間案内などの他に、患者毎に検査の時間や内容などをお知らせする告知情報を、テレビ１２の画面に映し出す報知制御部としての機能や、無線送受信部１００を通じた双方向通信により、各病床でリモコン３の操作によるテレビ１２の視聴確認の有無を、センター装置４５で把握できるようにする機能も備えている。
【００４５】
電子マネー制御処理部１０２は、課金装置１３との間で電子マネーを受け渡す機能や、課金装置１３内部で電子マネーを演算処理する機能を有する。特に電子マネーの演算処理では、計時部９３からの時刻データで得られるテレビ１２や冷蔵庫１４の動作する使用時間が、一定値（例えばテレビ１２では１分、冷蔵庫では１日）に達する毎に、電子マネー記憶部９６に記憶する電子マネーを減算して書き換え更新させ、その減算した電子マネーの残額と、識別子記憶部９８から読み出した課金装置識別子とを、無線送受信部１００を通してセンター装置４５に利用者課金情報として送出する第２送出部としての機能を有する。また電子マネー制御処理部１０２は、その減算した電子マネーから換算した冷蔵庫１４の使用可能日数と金額を、日数表示器１８と残金表示器１９にそれぞれ表示させる表示制御部としての機能も備えている。
【００４６】
履歴情報制御処理部１０３は、計時部９３からの時刻データと、電子マネー制御処理部１０２による電子マネーの演算結果から、課金装置１３により制御されるテレビ１２や冷蔵庫１４の個別の利用金額や利用日時を機器履歴情報として生成し、これを履歴情報記憶部９７に記憶させる機能を有する。また、リモコン３との電子マネーの入出金の情報を履歴情報として生成し、これを履歴情報記憶部９７に記憶させる機能も有する。
【００４７】
識別子制御処理部１０４は、リモコン３との間で識別子を受け渡す機能や、ＩＲ送受信部２４を通して受信したリモコン３からのリモコン識別子と、識別子記憶部９８に記憶したリモコン識別子との比較により、そのリモコン３との間でデータのやり取りを行なうか否かを判別する機能を有する。
【００４８】
患者情報制御処理部１０５は、リモコン３からＩＲ送受信部２４を通して取り込んだ患者情報を患者情報記憶部９９に記憶させると共に、その患者情報と識別子記憶部９８から読み出した課金装置識別子とを、無線送受信部１００を通してセンター装置４５に新たな認証情報として送出する第１送出部としての機能を有する。
【００４９】
図８は、リモコン貸出機５の電気的構成を示したものである。リモコン貸出機５は、例えばマイクロコンピュータのＣＰＵにより構成されるリモコン貸出制御部１１１を備え、このリモコン貸出機５の記憶部（図示せず）には、コンピュータによるリモコン貸出制御部１１１を、患者情報制御処理部１１２として機能させるためのプログラムが記憶保持される。また、このリモコン貸出制御部１１１に、診察券読取部１１４と、計時部１１５と、リモコン接続部１１６と、プリンタ接続部１１７がそれぞれ接続される。
【００５０】
患者情報入力部としての診察券読取部１１４は、診察券挿入口２１に挿入した診察券５の磁気ストライプ９から患者情報のデータを読取り、リモコン貸出制御部１１１に送出する機能を有する。患者情報制御処理部１１２は、診察券読取部１１４からの患者情報を、リモコン貸出機５の内部に収納されている初期化されたリモコン３に、リモコン接続部１１６を通して送出して患者情報記憶部８４に入力させ、そのリモコン３をリモコン貸出口７から排出させる機能を有する。計時部１１５は、時刻をカウントしてリモコン貸出制御部１１１に出力するもので、計時部１１５からの時刻データは、リモコン３が貸出されたときの日時をリモコン貸出制御部１１１が決定するのに用いられる。プリンタ接続部１１７は、リモコン貸出制御部１１１とプリンタ（図示せず）とを電気的に接続するもので、このプリンタ接続部１１７を通して、診察券５から読み取った患者情報やリモコン３の貸出日時を、プリンタでロール紙から引き出された貸出レシートに印刷出力することが可能になる。リモコン接続部１１６は、リモコン３の外部機器接続部８０と電気的に接続するものである。
【００５１】
図９は、リモコン入金／精算機３１の電気的構成を示したものである。リモコン入金／精算機３１は、例えばマイクロコンピュータのＣＰＵにより構成される入金／精算機制御部１２１を備え、この入金／精算機制御部１２１に、紙幣入金部１２３と、残金出金部１２４と、ボタン３３〜３５からなる操作部１２５と、表示器３９〜４１からなる表示部１２６と、計時部１２７と、リモコン接続部１２８と、プリンタ接続部１２９と、全履歴情報記憶部１３０がそれぞれ接続される。
【００５２】
代替品入力部としての紙幣入金部１２３は、入金ボタン３３が操作されると紙幣投入口３５から投入された紙幣を計数し、その計数データを入金／精算機制御部１２１に出力するもので、投入された紙幣はリモコン入金／精算機３１の内部に収容保管される。代替品出力部としての残金出金部１２４は、精算ボタン３４が操作され、リモコン３をリモコン挿入口３２に装着すると、そのリモコン３の電子マネー記憶部８２に記憶される電子マネーから、入金／精算機制御部１２１で算出される残金額に相当する金額を払出金額表示器４１に表示するもので、リモコン入金／精算機３１の内部には、残金出金部１７５で排出可能な複数種類の硬貨が予め収容保管される。なお、残金出金部１２４は硬貨だけでなく、紙幣を排出できる構成としてもよい。
【００５３】
計時部１２７は、時刻をカウントして入金／精算機制御部１２１に出力するもので、計時部１２７からの時刻データは、紙幣から電子マネーに演算で交換されたときの日時や、電子マネーから現金に演算で交換されたときの日時を決定するのに用いられる。リモコン接続部１２８は、リモコン３をリモコン挿入口３２に装着すると、そのリモコン３の外部機器接続部８０と電気的に接続するものである。プリンタ接続部１２９は、入金／精算機制御部１２１とプリンタ（図示せず）とを電気的に接続するもので、このプリンタ接続部１２９を通して、入金額や精算金額などをプリンタでロール紙から引き出されたレシートに印刷出力することが可能になる。
【００５４】
全履歴情報記憶部１３０は、リモコン３をリモコン挿入口３２に装着した状態で、入金ボタン３３や精算ボタン３４が操作された後に、決定ボタン３５が操作される毎に、そのリモコン３の履歴情報記憶部８２に保存されている履歴情報を蓄積記憶するもので、履歴情報には前述の機器履歴情報やリモコン履歴情報が含まれる。したがって全履歴情報記憶部１３０には、病床毎に設置された全てのリモコン３からの履歴情報が蓄積されることになる。
【００５５】
リモコン入金／精算機３１の記憶部にはその他に、コンピュータによる入金／精算制御部１２１を、電子マネー制御処理部１３３および履歴情報制御処理部１３４として機能させるためのプログラムが記憶保持される。電子マネー制御処理部１３３は、紙幣入金部１２３からの計数データに基づき、紙幣入口３６に投入された紙幣の額から、その額に応じた電子マネーを算出する機能を有する。算出された電子マネーは、入金金額表示器４０に表示される。履歴情報制御処理部１３４は、リモコン３をリモコン挿入口３２に装着した状態で、精算ボタン３４が操作されると、そのリモコン３の履歴情報記憶部８２に保存される履歴情報を全履歴情報記憶部１３０に転送する機能を有する。
【００５６】
次に、上記インフォメーションシステム１の構成について、その作用を図７や図８の説明図を参考にして詳しく説明する。
【００５７】
先ず、患者の入院時に利用するリモコン貸出機２の動作手順から説明する。リモコン貸出機２には初期化された複数のリモコン３が収納されるが、これらのリモコン３は何れも、予めリモコン識別子として個別のＩＤ番号が各々割り当てられ、患者情報記憶部８４は誰の患者情報も記憶されていない状態となっている。また、全ての課金装置１３にも、予め課金装置識別子として個別のＩＤ番号が各々割り当てられている。リモコン３の識別子記憶部８３に記憶されるリモコン識別子や、課金装置１３の識別子記憶部９８に記憶される課金装置識別子は、容易に書き換えできない構成となっている。
【００５８】
ここで、患者が自身の携帯する診察券５を診察券挿入口６に挿入すると、リモコン貸出機２の患者情報制御処理部１１２により、その患者の患者情報が磁気ストライプ９から読み取られ、初期化された複数台のリモコン３の中から、選択した一台のリモコン３の患者情報記憶部８４に患者情報が入力記憶される。その後、この患者情報が書き込まれたリモコン３は、これから入院する患者が利用する携帯可能な遠隔操作体として、リモコン貸出口７から排出され、診察券５も診察券挿入口６から排出される。
【００５９】
次に、入金時の動作手順を説明すると、図１０のステップＳ０に示すように、リモコン識別子として例えば「001」のＩＤ番号を有するリモコン３がリモコン貸出機２から排出され、これを患者が受け取ったとする。ここで受け取られたリモコン３は患者情報記憶部８４以外が初期化されており、履歴情報記憶部８２に記憶される履歴情報や、識別子記憶部８３に記憶される課金装置識別子の値はクリアされ、電子マネー記憶部８１に記憶される電子マネーの値は０になっている。なおこれらは、リモコン３が初期状態であると認識できる別な値でも構わない。
【００６０】
この後、患者がリモコン入金／精算機３１でリモコン３に必要な電子マネーを入金記憶させ、病床の課金装置１３にその電子マネーを移行させる。具体的には、リモコン入金／精算機３１のリモコン挿入口３２にリモコン３を挿入し、リモコン３がリモコン入金／精算機３１に装着されたのを入金／精算機制御部１２１が認識した状態で、紙幣入口３６に紙幣として1000円札を投入すると、その投入枚数に応じた計数データが紙幣入力部１２３から入金／精算機制御部１２１に出力され、紙幣の投入金額が入金金額表示器４０に表示される。また電子マネー制御処理部１３３は、紙幣入力部１２３からの計数データに基づき、投入金額を電子マネーに変換する計算を行ない、その電子マネーの額をリモコン金額表示器３９に表示させる。リモコン入金／精算機３１からリモコン３に計算された電子マネーが送出されると、リモコン３の電子マネー制御処理部８５は、電子マネー記憶部９６に記憶される電子マネーの額と、リモコン入金／精算機３１からの電子マネーの額を加算し、その結果を新たな電子マネーの額として電子マネー記憶部９６に記憶保持（チャージ）させる。
【００６１】
例として、ステップＳ０に示すような初期状態のリモコン３をリモコン入金／精算機３１のリモコン挿入口３２に挿入して、紙幣入口３６に千円札を５枚投入すると、次のステップＳ１のように、リモコン３の電子マネー記憶部８１に5000円分の電子マネーがそのままチャージされる。また、電子マネー記憶部８１に記憶される電子マネーの額が０以外の場合も、その額とリモコン入金／精算機３１からの電子マネーの額とを加算した新たな額が、電子マネー記憶部８１にチャージされる。このときのリモコン入金／精算機３１への最大入金金額は紙幣入力部１２３で任意に設定でき、必要以上の電子マネーがリモコン３にチャージできない構成になっている。
【００６２】
この後、電子マネーをチャージしたリモコン３を病床の課金装置１３に向けて、送金キー６６を押動操作すると、通信を確立したリモコン３と課金装置１３の双方で識別子による認証が行われる。リモコン３の識別子制御処理部８７は、識別子記憶部８３に記憶される課金装置識別子の値がクリアされている初期状態で、課金装置１３の識別子記憶部８８から課金装置識別子の値を読み込み、この値を識別子記憶部８３に上書き更新して記憶させる。同様に課金装置１３の識別子制御処理部１０４は、識別子記憶部９８に記憶されるリモコン識別子の値がクリアされている初期状態で、リモコン３の識別子記憶部８３からリモコン識別子の値を読み込み、この値を識別子記憶部９８に上書き更新して記憶させる。これ以降、リモコン制御部７５は、識別子記憶部８３に記憶される課金装置識別子の値がクリアされるまで、認証した特定の課金装置１３だけとデータのやり取りを許可し、それ以外の課金装置１３との間のデータのやり取りを禁止する。また、課金装置制御部９１も、識別子記憶部９８に記憶されるリモコン識別子の値がクリアされるまで、認証した特定のリモコン３だけとデータのやり取りを許可し、それ以外のリモコン３との間のデータのやり取りを禁止する。
【００６３】
次いで、課金装置１３の患者情報制御処理部１０５は、患者情報記憶部９９に患者情報が記憶されていない初期状態で、リモコン３の患者情報記憶部８４から、そのリモコン３を使用する患者固有の患者情報を読み込み、これを患者情報記憶部９９に上書き記憶させる。このとき患者情報制御処理部１０５は、識別子記憶部８３に記憶される課金装置識別子と、患者情報記憶部９９に記憶される患者情報と、好ましくは識別子記憶部８３に記憶されるリモコン識別子とを、無線送受信部１００を通してセンター装置４５に新たな認証情報として送出する。これを受けてセンター装置４５では、センター装置４５に既に登録記憶される複数の患者情報の中に、送られてきた新たな認証情報に含まれる患者情報が存在するか否かを確認し、その存在を確認した患者情報と、新たな認証情報に含まれる課金装置識別子およびリモコン識別子とを関連付けたデータ（関連付けデータ）を記憶保存する。これ以降、センター装置４５は、現時点で病床にいる患者がどの課金装置１３とリモコン３を利用しているのかを、関連付けデータから正しく把握することができる。
【００６４】
こうして、リモコン３と課金装置１３との間で認証が行われ、続いてリモコン３に記憶された患者情報がセンター装置４５側で照合されると、リモコン３の電子マネー記憶部８１にチャージされる電子マネーが課金装置２に移行される。これを受けて課金装置１３の電子マネー制御処理部１０２は、電子マネー記憶部９６に記憶される電子マネーの額と、リモコン３からの電子マネーの額を加算し、その結果を新たな電子マネーの額として電子マネー記憶部９６に記憶保持させる。またリモコン３の電子マネー制御処理部８５は、この加算した分をそれまで電子マネー記憶部８１にチャージされていた電子マネーから減算し、その結果を新たな電子マネーとして電子マネー記憶部８１に記憶保持させる。
【００６５】
例としてステップＳ１では、識別装置識別子の値がクリアされた初期状態のリモコン３に、5000円分の電子マネーがチャージされている。このリモコン３を、リモコン識別子の値がクリアされた初期状態の課金装置１３に向け、電子マネーの移行のために送金キー６６を押動操作すると、ステップＳ１’において、リモコン３と課金装置１３の双方で識別子の確認が行われ、課金装置２に固有の課金装置識別子として、その課金装置２から読み出したＩＤ番号「101」がリモコン３の識別子記憶部８３に記憶される一方で、リモコン３に固有のリモコン識別子として、そのリモコン３から読み出したＩＤ番号「001」が、課金装置１３の識別子記憶部９８に記憶される。
【００６６】
また、初期状態では課金装置１３の電子マネー記憶部９６に記憶される電子マネーの額は０なので、課金装置１３の電子マネー制御処理部１０２は、リモコン３にチャージされている電子マネーの額である5000円を、そのまま新たな電子マネーの額として加算し、電子マネー記憶部９６に記憶保持させる。これと共に、リモコン３にチャージされる電子マネーの額は減算されて０円となる。
【００６７】
こうして、課金装置１３の電子マネー記憶部９６に必要な額の電子マネーが記憶保持されると、課金装置１３の機器制御処理部１０１からテレビ１２のテレビ動作制御部２２に動作許可信号が送出され、その電子マネーの額が０になるまでテレビ１２を利用できる。これにより、オフ状態のテレビ７に向けてリモコン３の電源キー５１を押動操作すると、テレビ１２は機器制御処理部１０１からの動作許可信号により直ちに起動し、テレビ放送の視聴が可能になる。また課金装置１３の電子マネー制御処理部１０２は、テレビ動作検出部２１からの検出信号を受けて、テレビ１２の動作する使用時間を算出し、その使用時間に応じて電子マネー記憶部９６に記憶される電子マネーの値を減算する。この新たな電子マネーの値は電子マネー記憶部９６にその都度上書き更新され、残金表示器２６に常時表示される。電子マネーの値が０になると、機器制御処理部１０１からテレビ動作制御部２１に動作禁止信号が送出され、リモコン３やテレビ１２をいかに操作しても、テレビ１２は動作不可能になる。
【００６８】
冷蔵庫１４の利用は、リモコン３の冷蔵庫予約キー６７と冷蔵庫予約戻しキー６８を用いる。課金装置１３の電子マネー制御処理部１０２は、冷蔵庫予約キー６７が押動操作される毎に、冷蔵庫１４の所定期間（例えば１日）の利用料金（例えば200円）に相当する額を、電子マネー記憶部９６にチャージされる電子マネーから差し引いて更新記憶する。これにより、冷蔵庫予約キー６７の押動回数に比例した利用料金が先に差引かれ、その利用料金に応じた所定期間中に、冷蔵庫１４への電源供給が可能となる。一方、冷蔵庫予約戻しキー６８を押動操作すると、残った利用料金が電子マネーに戻されて、電子マネー記憶部９６に更新記憶される。冷蔵庫１４を利用できる期間は、課金装置１４の日数表示器２５に常時表示され、機器制御処理部１０１は利用料金が０になるまで、冷蔵庫１４の利用を可能にする動作許可信号を送出し、利用料金が０になると、冷蔵庫１４の利用を禁止する動作禁止信号を送出する。なお、ここでの冷蔵庫１４は、先に利用料金を差し引く予約課金としているが、テレビ１２のように実際の動作時間に応じて利用料金を決定する従量課金としてもよい。逆に、テレビ７を予約課金としてもよい。
【００６９】
こうした課金対象機器の利用に伴い、電子マネー記憶部９６の電子マネーが更新記憶される毎に、課金装置１３の電子マネー制御処理部１０２は、その更新された電子マネーと、当該課金装置１３を特定する課金装置識別子とを、無線送受信部１００を通してセンター装置４５に利用者課金情報として送出する。各課金装置１３の電子マネー記憶部９６に記憶される電子マネーは、患者がリモコン入金／精算機３１でチャージした額から使用していない現時点の未払い残高に相当するので、これを課金装置識別子と共にセンター装置４５にその都度送出すれば、センター装置４５側では新たな認証情報に含まれる患者情報と課金装置識別子との関連付けから、全ての患者について、現段階で個人毎にどの程度の未払い残高があるのかを速やかに、かつ確実に集計できる。
【００７０】
課金装置１３の電子マネー残金が不足した場合は、再度リモコン入金／精算機３１を利用してリモコン３に電子マネーを補充する。例えばステップＳ２に示すように、リモコン入金／精算機３１によりリモコン３に3000円分の電子マネーをチャージし、このリモコン３を病床の課金装置１３に向けて送金キー５６を押動操作すると、ステップＳ１，Ｓ１’において認証済のリモコン３と課金装置１３との間で、電子マネーのデータ移行が可能になる。この場合、例として課金装置１３に1000円の電子マネーが残っていれば、ステップＳ２’のように、課金装置１３の電子マネー記憶部８６に記憶保持される電子マネーの額は4000円となる一方で、リモコン３にチャージされる電子マネーの額は3000円減算されて０円となる。
【００７１】
一方、ステップＳ３のように、リモコン識別子として例えば「004」のＩＤ番号を有する別なリモコン３を、「001」のＩＤ番号を有するリモコン３との間で認証が行われた後の課金装置１３に向けて、送金キー６６を押動操作しても、リモコン３と課金装置１３の双方に記憶されるリモコン識別子と課金装置識別子が共に一致しない限り、その間でデータのやり取りは行われない。またステップＳ４のように、「101」のＩＤ番号を有する課金装置１３との間で認証が行われた後のリモコン３を、別な病床に設置された「102」のＩＤ番号を有する課金装置１３に向けて、送金キー６６を押動操作しても、やはりリモコン３と課金装置１３の双方に記憶されるリモコン識別子と課金装置識別子が共に一致せず、その間でデータのやり取りは行われない。したがって、これらの場合はリモコン３と課金装置１３との間で電子マネーの移行は不可能となる。
【００７２】
本実施形態では、電子マネーによるテレビ１２の有料視聴とは別に、センター装置４５からの告知情報として、決められた時間に送信される精算要求や消灯時間案内の他に、不定期な緊急時の一斉告知や、患者毎に検査の時間や内容などを知らせる必要事項が、無線手段４９を利用してテレビ１２から無料視聴できる。例えば図２では、患者に対する必要事項として、患者の氏名を知らせる「ヤマダ  ハナコ様」と、検査時間や内容を知らせる「本日午後３時より胃カメラの検査があります。」を、テレビ１２の画面上に文字表示させている。
【００７３】
こうした必要事項を告知するために、センター装置４５は、装置本体４６に記憶する全ての患者情報の中で、患者名が「ヤマダ  ハナコ」である患者情報を選択し、その患者情報と関連付けられた課金装置識別子から、「ヤマダ  ハナコ様」が使用する課金装置１３を特定する。そして、センター装置４５からこの特定した課金装置１３にのみ、上述の必要事項のデータが送出され、記憶部に記憶される。課金装置１３は、センター装置４５からの必要事項のデータを、記憶部にその都度記憶することができ、リモコン３のＳＤ切替キー５３を押動操作することで、記憶部の中から選択した一つの必要事項を、テレビ１２に表示させることができる。
【００７４】
変形例として、上述のテレビ１２から告知情報を報知するインフォメーションサービス時に、センター装置４５から必要に応じて、テレビ１２の電源を課金装置１３に優先して制御することも可能である。これは、地震や火災などの緊急時の一斉告知に有効であり、センター装置４５からの制御信号により、リモコン３の操作なしにテレビ１２の電源を強制的にオンにして、緊急性の高い告知情報をテレビ１２の画面に優先的に表示させることができる。
【００７５】
また、緊急性のない告知情報は課金装置１３の記憶部に一旦記憶させて、リモコン３の電源キー５１を押してテレビ１２の視聴を開始したときに、そこからテレビ１２の画面に告知情報を一定時間表示させてもよい。告知情報の視聴確認は、リモコン３の決定キー６１を押せばよく、それによりテレビ１２の表示を以前のリモコン３による設定状態に戻すことができる。この場合、モコン３の電源キー５１を再度押して、テレビ１２の電源をオフにすれば、告知情報の表示もオフになり、視聴中は視聴画面となる。代わりに、リモコン３の電源キー５１を再度押して、テレビ１２の電源をオフすることで、前述した告知情報の視聴確認と見なすことも可能である。
【００７６】
なお、入院中に患者が床頭台１１を残したまま、リモコン３を持って別の病床に移動する場合や、退院する場合は、リモコン３をそれまで使用した課金装置１３に向けて、退院キー６４を押動操作すると、電子マネー記憶部９６に記憶する電子マネーの残額がリモコン３に戻される。つまり、図１１のステップＳ１１に示すように、課金装置１３の電子マネー制御処理部１０２は、電子マネー記憶部９６に記憶する電子マネーの残額（1500円）をリモコン３に送り出して、電子マネー記憶部９６を０円に更新記憶させ、これを受けてリモコン３の電子マネー制御処理部８５は、電子マネー記憶部８１に記憶される電子マネーの額（0円）と、課金装置１３からの電子マネーの残額を加算し、その結果である1500円を新たな電子マネーの額として電子マネー記憶部８１に記憶保持させる。また、このときに電子マネー制御処理部１０２は、更新された電子マネーの額（＝０円）と、当該課金装置１３を特定する課金装置識別子とを、センター装置４５に利用者課金情報として送出する。
【００７７】
さらに、センター装置４５側で課金装置１３と患者情報との関連付けを解除して初期化するために、当該課金装置１３の患者情報制御処理部１０５は、患者情報記憶部９９に記憶される患者情報と、識別子記憶部９８に記憶される課金装置識別子およびリモコン識別子との関連付けを解除する指令信号を、無線送受信部１００を通してセンター装置４５に送出する。
【００７８】
それに加えてリモコン３と課金装置１３は、互いの認証を解除するのに、リモコン３の識別子記憶部８３に記憶される課金装置識別子の値を、識別子制御処理部８７によってクリアし、また課金装置１３の識別子記憶部９８に記憶されるリモコン識別子の値を、識別子制御処理部１０４によってクリアし、患者情報記憶部９９に記憶される患者情報を、患者情報制御処理部１０５によってクリアする。これによりそれまで使用した課金装置１３は、リモコン識別子のＩＤ番号と電子マネーの残額と患者情報が何れも初期化クリアされ、次の患者の利用が可能になる。ステップＳ１１’は、課金装置１３からリモコン３に電子マネーが戻され、リモコン３に記憶される課金装置識別子と、課金装置１３に記憶されるリモコン識別子が共にクリアされた状態が示されている。
【００７９】
上述した動作は、退院キー６４を短時間で押した場合には受け付けず、長押しした場合にのみ受け付ける構成としてもよい。これにより、退院キー６４の誤操作を防ぐことができる。また、リモコン３と課金装置１３との認証を解除せず、課金装置１３からリモコン３の電子マネーの残額だけを戻す場合には、返金キー６５を押動操作する。この場合、返金キー６５を短時間で押す毎に、テレビ７と冷蔵庫８の利用可能残時間に対応した電子マネーの全残額から、一定額（例えば100円）の電子マネーがリモコン３に戻され、返金キー６５を長押しすると、電子マネーの全残額がリモコン３に戻される。こうしてリモコン３に戻された電子マネーは、テレビ１２や冷蔵庫１４以外の例えばコインランドリーに設置した課金対象機器に利用できる。
【００８０】
なおステップＳ１１で、別の認証されていないリモコン３を課金装置１３に向けて、退院キー６４を押動操作しても、上述したようにリモコン３と課金装置１３との間でデータのやり取りは行われず、課金装置１３の残金をリモコン３に戻すことは不可能となる。このように、課金装置１３の残金は他の病床で使用するリモコン３では使用できないので、患者が病床を離れる場合に、リモコン３の保管さえ注意すれば、カード式のような盗難を防ぐことができる。
【００８１】
こうして、電子マネー以外でリモコン３や課金装置１３やセンター装置４５の初期化を行なった後に、患者が別な病床に移動する場合は、そのリモコン３を持って行くだけでよい。つまり、別な病床の課金装置１３に、それまで使用していたリモコン３を向けて、送金キー６６を押すだけで、上述した手順で移動後の課金装置１３とリモコン３との関連付けがなされ、リモコン３に残っている電子マネーで、テレビ１２や冷蔵庫１４を引き続き利用できる。こうして、患者が病床を移動する場合でも、自身の患者情報が記憶されているリモコン３を、移動先の課金装置１３に向けてキー操作すれば、センター装置４５で患者情報と新たな課金装置識別子との関連付けが簡単かつ確実に行なわれ、引き続き移動先でもセンター装置４５から特定の患者に対して、患者への必要事項などの告知情報を、新たな課金装置１３に制御されるテレビ１２を通して正確に視聴できる。
【００８２】
また、退院時には患者がリモコン３をリモコン入金／精算機３１のリモコン挿入口３２に挿入し、精算ボタン３４を押動操作すると、そのリモコン３の電子マネー記憶部８１に記憶される電子マネーから、現金として支払うべき残金額が電子マネー制御処理部１３３で算出され、その残金額に相当する硬貨が、残金出金部１２４を通して硬貨払出口３７に排出される。そしてステップＳ１２に示すように、リモコン３の電子マネー記憶部８１に記憶される電子マネーは０になり、リモコン３は電子マネーを含めて前記ステップＳ０における初期状態に戻る。こうして患者は、リモコン入金／精算機３１を利用して、リモコン３内の電子マネーを現金化することができ、その後の初期化されたリモコン３は、再びリモコン入金／精算機３１の内部に収納される。
【００８３】
上述した入金から出金までの一連の動作で、リモコン３の履歴情報記憶部８２には、課金装置１３や、リモコン入金／精算機３１との間の電子マネーによる入出金処理の日付時刻や金額が、そのリモコン３のリモコン履歴情報として記憶される。なお、リモコン履歴情報の記憶件数は適宜変更可能である。これにより、各リモコン３を通した電子マネーの入出金履歴が個別に確認できる。
【００８４】
また課金装置１３の履歴情報制御処理部９７は、特定のリモコン３との間でデータのやり取りができる間に、テレビ１２や冷蔵庫１４が何時どの程度の金額利用されたのかを機器履歴情報として履歴情報記憶部９７に記憶させており、この機器履歴情報は前記ステップＳ１１’で課金装置１３からリモコン３の履歴情報記憶部８２に転送され、さらにステップＳ１２でリモコン入金／精算機３１の全履歴情報記憶部１３０に転送される。特にリモコン入金／精算機３１の履歴情報制御処理部１３４は、リモコン３をリモコン挿入口３２に装着した状態で、精算ボタン３４が操作される毎に、そのリモコン３の履歴情報記憶部８２に保存される履歴情報を全履歴情報記憶部１３０に転送するので、各病床に設置した課金装置１３の全ての売り上げがリモコン入金／精算機３１で把握でき、リモコン入金／精算機３１によるインフォメーションシステム１の統合管理が可能となる。
【００８５】
なお、患者が上述した出金処理を行なわずに退院した場合には、課金装置１３が初期化されず、そのままでは次の利用が不可能になる。そこで、どの課金装置２にもデータのやり取りが可能な保守リモコン（図示せず）を備え、この保守リモコンで課金装置１３の電子マネーを回収し、且つ課金装置１３を初期化させることで、次の利用を可能にする。
【００８６】
その他、図４に示す変形例では、入院患者以外の外来患者にリモコン３が貸出されないように、リモコン貸出機２の患者情報制御処理部１１２が診察券５から患者固有の患者情報を読取る毎に、通信手段４９Ｂを通してその患者情報をセンター装置４５に送出する。センター装置４５がデータ保持する電子カルテには、各患者について入院を要する患者（入院患者）であるか否かが記録されており、リモコン貸出機２から送られてきた患者情報と電子カルテとの比較から、その患者情報に対応する患者が入院患者であれば、通信手段４９Ｂを通してリモコン貸出機２に許可信号を送出し、そうでなければ（例えば外来患者であれば）、通信手段４９Ｂを通してリモコン貸出機２に禁止信号を送出する。これを受けてリモコン貸出機２の患者情報制御処理部１１２は、許可信号を受け取った場合にのみ、患者情報を書き込んだリモコン３を排出させる一方で、禁止信号を受け取った場合は、リモコン３を排出させないようにすることで、外来患者などがリモコン３を利用するのを確実に防止できる。
【００８７】
また、別な通信手段４９Ｃを利用して、患者が入院する毎にリモコン貸出機２からリモコン３を一台だけ貸出すこともできる。この場合、患者情報制御処理部１１２は、リモコン貸出機２で診察券５から患者固有の患者情報を読取ると、若しくはセンター装置４５からの許可信号を受けて、その患者情報が記憶部（図示せず）に既に記憶されているか否かを判定する。仮に記憶部に同じ患者情報が記憶されていなければ、その患者は他にリモコン３を貸し出していないと判断して、当該患者情報を書き込んだリモコン３を排出させ、当該患者情報をリモコン貸出済情報として記憶部に記憶する。一方、記憶部に同じ患者情報すなわちリモコン貸出済情報が記憶されていれば、既に別なリモコン３が貸し出されていると判断して、リモコン３を排出させない。これにより、既にリモコン３を貸出した患者に対して、別なリモコン３が貸出されるのを確実に防止できる。
【００８８】
その後、退院時にリモコン入金／精算機３１を利用して出金処理を行なうと、リモコン３に記憶されていた患者固有の患者情報が、通信手段４９Ｃを通してリモコン貸出機２に送出され、リモコン貸出機２の患者情報制御処理部１１２は、リモコン入金／精算機３１からの患者情報と同じ患者情報すなわちリモコン貸出済情報を記憶部から削除する。これにより、次にその患者が再入院する際に、リモコン貸出機２を利用して患者情報が書き込まれたリモコン３を貸出すことが可能となる。
【００８９】
その他、本実施形態のインフォメーションシステム１では、リモコン３や課金装置１３にチャージされた電子マネーを利用して、売店やコンビニエンスストアなどに物品を注文する際に、入院患者がどの課金装置１３ひいては病床にいるのかを個々に特定できるため、その都度手入力などを行なわなくても、誰が何を注文したのかを一元的に管理できる。また、注文された物品を病床にいる患者の元に配達することもできる。
【００９０】
以上のように、本実施形態のインフォメーションシステム１は、診察券５から読み出した利用者となる患者を特定する利用者情報としての患者情報を、携帯可能な遠隔操作体であるリモコン３に記憶させて、そのリモコン３を外部に排出する利用者情報転送機としてのリモコン貸出機２と、各患者の患者情報を一元管理するセンター装置４５に対して、病院施設内で各々が通信可能に設置され、制御対象として少なくとも報知装置となるテレビ１２を有する複数の端末装置に相当する課金装置１３と、を備えている。そして課金装置１３は、リモコン３の操作により、予めリモコン貸出機２を利用して、そのリモコン３の患者情報記憶部８４に記憶された患者情報を取り込んで、その患者情報と課金装置１３に固有の端末識別情報となる課金装置識別子とを、センター装置４５に新たな認証情報として送出する第１送出部としての患者情報制御処理部１０５と、この新たな認証情報を受けて、センター装置４５が当該新たな認識情報に含まれる患者情報と課金装置識別子との関連付けを行なった後に、センター装置４５から特定の課金装置１３に告知情報が送出されると、その課金装置１３が制御するテレビ１２に告知情報を出力させる報知制御部としての機器制御処理部１０１と、を有して構成される。
【００９１】
この場合、予めリモコン貸出機２を利用して、利用者の診察券５から読み出した患者情報をリモコン３に転送記憶させておけば、後は患者が課金装置１３の利用開始時にリモコン３を操作するだけで、リモコン３からの患者情報とその課金装置１３に固有の課金装置識別子が、新たな認証情報として課金装置１３の患者情報制御処理部１０５からセンター装置４５に自動的に送出され、センター装置４５側で利用者情報と課金装置識別子の関連付けが迅速に行われる。そのため、患者が病床などを移動する場合でも、自身の患者情報が記憶されたリモコンを、移動先の課金装置１３に対して操作すれば、課金装置１３にカードを挿入する手間を省いて、患者情報と課金装置識別子の関連付けを簡単かつ確実に行なうことができ、センター装置４５から特定の患者に対して告知情報を正確に通知することが可能になる。
【００９２】
また、本実施形態の課金装置１３は、患者の例えばテレビ１２や冷蔵庫１４の利用金額に相当する電子マネーを記憶する記憶部としての電子マネー記憶部９６と、その電子マネー記憶部９６に電子マネーが更新記憶される毎に、当該電子マネーと識別子記憶部９８に記憶する課金装置識別子とを、センター装置４５に利用者課金情報として送出する第２送出部としての電子マネー制御処理部１０２をさらに備えている。
【００９３】
この場合、患者が使用する電子マネーの未払い残高が、課金装置１３の記憶部に記憶更新される毎に、その電子マネーと課金装置１３を特定する課金装置識別子がセンター装置４５に送出されるため、センター装置４５側では新たな認証情報に含まれる利用者情報と課金装置識別子との関連付けから、全ての利用者について、現段階で個人毎にどの程度の未払い残高があるのかを速やかに、かつ確実に集計できる。
【００９４】
また本実施形態では、センター装置４５および複数の課金装置１３−１〜１３−ｎの間で、ダイナミックルーティングによる有線や無線での通信を可能にする通信手段４９Ａをさらに備えている。センター装置４５および複数の課金装置１３−１〜１３−ｎの相互間で、通信に微弱な電波を使用した場合でも、通信手段４９がダイナミックルーティング方式により最適な経路を自動的に選択して、どの課金装置１３−１〜１３−ｎであっても全体にセンター装置４５と通信が可能となる。また、課金装置１３の電源を遮断した場合でも、残っている通信可能な課金装置１３間で自動的に別な経路を作成することができ、より確実な通信が可能になる。
【００９５】
以上、本発明の実施形態について説明したが、当該実施形態はあくまでも一つの例示に過ぎず、発明の要旨を逸脱しない範囲で、種々の省略、置換、変更が可能である。例えば、上述した課金システム１を、例えば病院以外の診察券５を必要とする診療所や各種施設に適用させることも可能である。また、告知情報を報知出力する報知装置として、テレビ１２以外に音声出力装置などを利用してもよい。さらに、課金装置１３と通信が可能なリモコン３以外の遠隔操作体を用いてもよく、第１送出部や第２送出部の名称なども、適宜変更して構わない。
【符号の説明】
【００９６】
２  リモコン貸出機（利用者情報転送機）
３  リモコン（遠隔操作体）
５  診察券
１２  テレビ（報知装置）
４５  センター装置
４９Ａ  通信手段
９６  電子マネー記憶部（記憶部）
１０１  機器制御処理部（報知制御部）
１０２  電子マネー制御処理部（第２送出部）
１０５  患者情報制御処理部（第１送出部）
【図１】
2018025974.tif 000003
【図２】
2018025974.tif 000004
【図３】
2018025974.tif 000005
【図４】
2018025974.tif 000006
【図５】
2018025974.tif 000007
【図６】
2018025974.tif 000008
【図７】
2018025974.tif 000009
【図８】
2018025974.tif 000010
【図９】
2018025974.tif 000011
【図１０】
2018025974.tif 000012
【図１１】
2018025974.tif 000013